(57)【要約】  【課題】使用者に不快感を与えずに長時間の暖房運転を行える空気調和機を提供する。  【解決手段】暖房運転初期に温度設定手段１１で設定した設定温度と室温検知手段で検知した室内温度との温度差が所定温度に達するまでは、風向板２−Ａ、２−Ｂを斜め下方向にして温風を斜め下方向に吹出させて室内の略中央領域に導き、前記温度差が所定温度に達すると、風向板２−Ｂを略真下方向にして温風を略真下方向に吹出させることで、長時間の暖房運転を行う場合に使用者に直接温風が当たることがなく、使用者に不快感を与えないようにする。  【選択図】  図５
2005147512.tif 000002
【特許請求の範囲】
【請求項１】
室内温度を検知する室温検知手段と、吹出す風の風向を変える風向板と、該風向板の風向きを制御する制御部とを備え、前記制御部は、暖房運転時に、設定温度と前記室内温度との温度差が所定温度差に達するまでは、風向を室内の略中央部に吹出し、前記温度差が所定温度に達すると、風向を壁から床に沿って吹出すように前記風向板の風向きを制御することを特徴とする空気調和機。
【請求項２】
室内温度を検知する室温検知手段と、吹出す風の風向を変える風向板と、該風向板の風向きを制御する制御部とを備え、前記制御部は、暖房運転時に、設定温度と前記室内温度との温度差が所定温度差に達するまでは、前記風向板を斜め下方向にして温風を斜め下方向に吹出し、前記温度差が所定温度に達すると、前記風向板を略真下方向にして温風を略真下方向に吹出すように制御することを特徴とする空気調和機。
【請求項３】
室内温度を検知する室温検知手段と、吹出す風の風向を変える風向板と、該風向板の風向きを制御する制御部とを備え、
前記制御部は、設定温度と前記室内温度との温度差が第１の所定温度差に達してから、それよりも小さい第２の所定温度差に達するまでの経過時間をカウントするタイマーを備え、暖房運転時に、前記風向板を斜め下方向から略真下方向に変化させるまでのインターバル時間を前記経過時間に基づいて算出し、前記温度差が前記第２の所定温度差に達した後、前記インターバル時間が経過するまでは、前記風向板を斜め下方向にして温風を斜め下方向に吹出し、前記インターバル時間が経過すると前記風向板を略真下方向にして温風を略真下方向に吹出すように制御することを特徴とする空気調和機。
【請求項４】
室内温度を検知する室温検知手段と、外気温度を検知する外気温検知手段と、吹出す風の風向を変える風向板と、該風向板の風向きを制御する制御部とを備え、
前記制御部は、設定温度と前記室内温度との温度差が第１の所定温度差に達してから、それよりも小さい第２の所定温度差に達するまでの経過時間をカウントするタイマーを備え、暖房運転時に、前記風向板を斜め下方向から略真下方向に変化させるまでのインターバル時間を前記経過時間と前記外気温検出手段によって検出した外気温度とに基づいて算出し、前記温度差が前記第２の所定温度差に達した後、前記インターバル時間が経過するまでは前記風向板を斜め下方向にして、温風を斜め下方向に吹出し、前記インターバル時間が経過すると前記風向板を略真下方向にして、温風を略真下方向に吹出すように制御することを特徴とする空気調和機。
【請求項５】
前記制御部は、前記風向板の略真下方向の向きを調整可能としたことを特徴とする請求項１〜４のいずれかに記載の空気調和機。
【請求項６】
前記制御部は、遠隔操作制御装置からの信号により風向板の略真下方向の向きを調整可能としたことを特徴とする請求項５に記載の空気調和機。
【発明の詳細な説明】
【技術分野】
【０００１】
本発明は、空気調和機に関し、より詳細には、暖房運転時における風向板の制御に関するものである。
【背景技術】
【０００２】
特許文献１には、冷凍サイクルで得た温風を室内に吹き出す際、設定温度と室内温度との温度差が所定温度に達するまでは温風を下吹き出しとし、所定温度に達したときには温風を斜め下吹き出しとしている。
【０００３】
特許文献２では、居住空間の快適度が所定値以上であった場合には温風を天井に向かって吹き出すようになっている。
【特許文献１】特開平４−５２４４３号公報（明細書の発明の効果参照）
【特許文献２】特許第３４４６４７８号公報（明細書０００８参照）
【発明の開示】
【発明が解決しようとする課題】
【０００４】
しかしながら、特許文献１に記載されている空気調和機では、設定温度と室内温度との温度差が所定温度に達したときには温風を斜め下吹き出しとしているため、室内にいる使用者に温風が直接当たることになり、長時間の暖房運転を行う際には使用者に不快感を与えるおそれがあった。
【０００５】
また、特許文献２に記載されている空気調和機では、居住空間の快適度が所定値以上であった場合に温風を天井に向かって吹き出すようになっているため、室内の上部は暖かく、下部は冷たくなるおそれがあり、使用者が座っているときに寒さを感じるおそれがあった。
【０００６】
本発明の目的は、このような従来の課題を解決し、使用者に不快感を与えずに長時間の暖房運転を行える空気調和機を提供することにある。
【課題を解決するための手段】
【０００７】
上記目的を達成するため、本発明に係る空気調和機においては、室内温度を検知する室温検知手段と、吹出す風の風向を変える風向板と、該風向板の風向きを制御する制御部とを備え、前記制御部は、暖房運転時に、設定温度と前記室内温度との温度差が所定温度に達するまでは、風向を室内の略中央部に吹出し、前記温度差が所定温度に達すると、風向を壁から床に沿って吹出すように前記風向板の風向きを制御することを特徴としている。
【０００８】
上記構成によると、暖房運転初期の設定温度と室内温度との温度差が所定温度に達するまでは、風向を室内の略中央部に吹出し、室内の略中央領域に居る使用者に温風が当たるようにしているので、早期に暖房感が得られる。また、前記温度差が所定温度に達し、壁や床がある程度、暖まってから風向きを壁から床に沿って吹出すようにするので、長時間の暖房運転を行う場合に使用者に直接温風が当たることがなく、使用者に不快感を与えない。
【０００９】
特に、高所に取り付けられる空気調和機においては以下の構成が好適である。すなわち、本発明に係る空気調和機においては、室内温度を検知する室温検知手段と、吹出す風の風向を変える風向板と、該風向板の風向きを制御する制御部とを備え、前記制御部は、暖房運転時に、設定温度と前記室内温度との温度差が所定温度に達するまでは、前記風向板を斜め下方向にして温風を斜め下方向に吹出し、前記温度差が所定温度に達すると、前記風向板を略真下方向にして温風を略真下方向に吹出すように制御することを特徴としている。
【００１０】
上記構成においては、暖房初期に風向板を斜め下方向にして温風を斜め下方向に吹出させて室内の略中央領域を暖房し、設定温度と室内温度の温度差が所定温度差に達し、室内がある程度、暖まった後に風向板を略真下方向にして温風を略真下方向に吹出し、壁から床に沿って温風を吹出すようになるので、長時間の暖房運転を行う場合の快適性を向上させることができる。
【００１１】
また、温風の吹出し方向の切換え時期を最適な時期に設定するために、室内温度を検知する室温検知手段と、吹出す風の風向を変える風向板と、該風向板の風向きを制御する制御部とを備え、前記制御部は、設定温度と前記室内温度との温度差が第１の所定温度差に達してから、それよりも小さい第２の所定温度差に達するまでの経過時間をカウントするタイマーを備え、暖房運転時に、前記風向板を斜め下方向から略真下方向に変化させるまでのインターバル時間を前記経過時間に基づいて算出し、前記温度差が前記第２の所定温度差に達した後、前記インターバル時間が経過するまでは、前記風向板を斜め下方向にして温風を斜め下方向に吹出し、前記インターバル時間が経過すると前記風向板を略真下方向にして温風を略真下方向に吹出すように制御することもできる。
【００１２】
上記構成によると、風向切換え時期を第2の所定温度差に達するまでの経過時間により変更するので、壁や床がある程度、暖まってから風向を切換えることができ、風向切換え後の略真下に吹き出した温風の温度が、壁や床に奪われにくくなり、使用者に冷感を与えることなく、足元を十分に暖めることができる。
【００１３】
また、室内温度を検知する室温検知手段と、外気温度を検知する外気温検知手段と、吹出す風の風向を変える風向板と、該風向板の風向きを制御する制御部とを備え、前記制御部は、設定温度と前記室内温度との温度差が第１の所定温度差に達してから、それよりも小さい第２の所定温度差に達するまでの経過時間をカウントするタイマーを備え、暖房運転時に、前記風向板を斜め下方向から略真下方向に変化させるまでのインターバル時間を前記経過時間と前記外気温検出手段によって検出した外気温度とに基づいて算出し、前記温度差が前記第２の所定温度差に達した後、前記インターバル時間が経過するまでは前記風向板を斜め下方向にして、温風を斜め下方向に吹出し、前記インターバル時間が経過すると前記風向板を略真下方向にして、温風を略真下方向に吹出すように制御することもできる。
【００１４】
上記構成においては、風向の切換え時期を推測するパラメータとして、第２の所定温度に達するまでの経過時間と外気温度とを採用しているので、暖房運転初期に風向板を斜め下方向にして温風を斜め下方向に吹出すことによって、室内の略中央領域のみならず、室内の周囲の壁や床が暖まるまでにかかる時間により近いインターバル時間を推測することができる。
【００１５】
また、制御部は、風向板の略真下方向の向きを調整可能とすることもできる。これにより、吹出した風が障害物に当たり、障害物と床との間に冷気ダマリが発生するのを抑制することができる。また、このような風向板の略真下方向の向きの調整を遠隔操作装置にて簡単に行うこともできる。
【発明の効果】
【００１６】
以上のとおり、本発明によれば、暖房運転初期に設定温度と室内温度との温度差が所定温度に達するまでは、風向を室内の略中央部に吹出し、また、温度差が所定温度に達した後は、壁から床に沿って吹出すようにするので、長時間の暖房運転を行う場合にも快適性を向上させることができる。
【発明を実施するための最良の形態】
【００１７】
本発明の空気調和機の実施形態を図面に基づいて説明する。
【００１８】
＜第1の実施形態＞
本発明の第１の実施の形態を図１〜図４を用いて説明する。図１はセパレート型空気調和機の室内機１の外観図、図２は風向板の制御ブロック図、図３（ａ）は風向板を斜め下方に向けた室内機の側面断面図、（ｂ）は同図（ａ）の状態のときの温風吹出し方向を示す図、図４（ａ）は風向板を略真下に向けた室内機の側面断面図、（ｂ）は同図（ａ）の状態のときの温風吹出し方向を示す図である。
【００１９】
室内機１は、室外に設置されている室外機（図示せず）と接続され、図３（ｂ）に示すように、室内の壁７の高所に取り付けられており、その吹出し口６に風向板２−Ａおよび風向板２−Ｂが軸９周りに回動自在に支持されている。
【００２０】
また、室内機１には、熱交換器４と送風手段である室内ファン５が内蔵され、室内ファン５により吸い込み口３から吸い込まれた空気は熱交換器４を通り、吹き出し口６から風向板２−Ａと風向板２−Ｂの方向に沿って吹き出される。この風向板２−Ａと風向板２−Ｂの向きを変化させることにより、室内機から吹き出す風の向きを変更できるようになっている。
【００２１】
風向板２−Ａと風向板２−Ｂの風向きを制御する制御部１０は、内部にＲＯＭ、ＲＡＭおよびＣＰＵを備えた一般的なマイクロコンピュータから構成されている。そして、図２に示すように、制御部の入力側には、室内機やその遠隔操作装置（リモコン）に設けられて室温を設定する温度設定手段１１と、室内機やその遠隔操作装置（リモコン）に設けられて室内の温度を検出する温度検知手段１２とが接続され、また、出力側に風向板を駆動するステッピングモータなどの風向板駆動部１３が接続される。風向板駆動部１３のモータ軸は、風向板２−Ａ、２−Ｂの軸９に連結され、風向板を回動できるようになっている。
【００２２】
そして、制御部１０は、暖房運転時に、温度設定手段１１で設定された設定温度と室温検知手段１２で検出した室内温度との温度差が所定温度差に達するまでは、風向を室内の略中央部に吹出し、前記温度差が所定温度に達すると、風向を壁から床に沿って吹出すように風向板の風向きを制御する。
【００２３】
本実施形態の制御部１０では、暖房運転時に、設定温度と室内温度との温度差が所定温度に達するまでは、前記風向板２−Ａ、２−Ｂを図３（ａ）の位置、すなわち斜め下方向にして温風を斜め下方向に吹出させ、前記温度差が所定温度に達すると、風向板２−Ａ、２−Ｂを図４（ａ）の位置、すなわち略真下方向にして温風を略真下方向に吹出すように制御する。
【００２４】
上記構成において、暖房運転が開始されると、さまざまな初期動作を行った後に、風向板２−Ａと風向板２−Ｂを図３（ａ）の位置、すなわち斜め下方向にして温風を斜め下方向に吹出させる。このときの温風は図３（ｂ）に示すように吹き出され、室内全体を暖めるようになる。
【００２５】
図５は風向板の制御フローチャートである。図に示すように、Ｓ１０にて設定温度と室内温度との温度差が所定温度（本実施例では４℃であるが、この温度に限定するものではない）以下であるかをチェックする。温度差が所定温度より大きければ風向板２−Ａと風向板２−Ｂの向きは図３（ａ）のように斜め下方向を維持する。温度差が所定温度以下であれば、Ｓ２０にて風向板２−Ｂの向きを図４（ａ）のように斜め下方向から略真下方向に変更する。風向板２−Ｂの向きが略真下であるとき、温風は図４（ｂ）のように壁７に沿って吹き出され、さらに床８に沿って流れて、足元を暖めるようになる。
【００２６】
このように、最初に部屋全体をすばやく暖め、その後足元を暖めるようにすることで、長時間暖房運転を行う場合に使用者に直接温風が当たることがなく、使用者に不快感を与えず、快適性を向上させることができる。
【００２７】
＜第２の実施形態＞
本発明の第２の実施形態を図３および図４並びに図６〜図８を用いて説明する。本実施形態では、制御部１０は、図６に示すように、温度設定手段１１で設定した設定温度と室温検知手段１２で検知した室内温度との温度差が第１の所定温度差（例えば４℃）に達してから、それよりも小さい第２の所定温度差（例えば０．６７℃）に達するまでの経過時間をカウントするタイマー１４を備え、暖房運転時に、風向板２−Ｂを斜め下方向から略真下方向に変化させるまでのインターバル時間を前記経過時間に基づいて算出し、前記温度差が前記第２の所定温度差に達した後、前記インターバル時間が経過するまでは、前記風向板２−Ａ、２−Ｂを斜め下方向にして温風を斜め下方向に吹出し、前記インターバル時間が経過すると前記風向板２−Ｂを略真下方向にして温風を略真下方向に吹出すように制御する。
【００２８】
そして、制御部１０には、第１の所定温度差に達してから、それよりも小さい第２の所定温度差に達するまでの経過時間から、風向板を斜め下方向から略真下方向に変化させるまでのインターバル時間を算出するために、図７に示すようなテーブルＡがメモリに記憶されている。図７の左欄は経過時間を、また右欄はインターバル時間を示す。その他の構成は上記第１の実施形態と同様であるので、その説明は省略する。
【００２９】
上記構成において、室内機１は、暖房運転が開始されると、さまざまな初期動作を行った後に風向板２−Ａと風向板２−Ｂを図３（ａ）の位置、すなわち斜め下方向にする。このときの温風は図３（ｂ）のように吹き出され、室内全体を暖めるようになっている。
【００３０】
図８は本実施例における風向板制御のフローチャートである。Ｓ１０にて設定温度と室内温度との温度差が第１所定温度差（本実施形態では４℃）以下であるかをチェックする。温度差が第１所定温度差より大きければ風向板２−Ａと風向板２−Ｂの向きは図３（ａ）のように斜め下方向を維持する。
【００３１】
温度差が第１所定温度以下であれば、Ｓ２０にて経過時間タイマー１４がカウント中であるかをチェックし、経過時間タイマ−１４がカウント中でない場合は、Ｓ２１にて経過時間タイマのカウントを開始する。Ｓ３０にて設定温度と室内温度との温度差が第２所定温度（本実施例では０．６７℃）以下であるかをチェックする。その温度差が第２所定温度差より大きければ、風向板２−Ａと風向板２−Ｂの向きは図３（ａ）のように斜め下方向を維持する。温度差が第２所定温度以下であれば、Ｓ４０にて経過時間タイマーのカウント値に基いて図７に示すテーブルＡから、風向板２−Ｂの向きを斜め下方向から略真下方向に変更するまでのインターバル時間を選択する。
【００３２】
例えば、経過時間タイマ−１４のカウント値＝１８、すなわち経過時間が１８分であれば、インターバル時間は４０分が選択される。そして、Ｓ５０にてインターバル時間が経過したかをチェックする。インターバル時間が経過するまでは、風向板２−Ｂの向きは図３（ａ）のように斜め下方向を維持し、経過すれば風向板２−Ｂの向きを図４（ａ）のように斜め下方向から略真下方向に変更する。
【００３３】
暖房運転を行う場合、室内温度が設定温度に近づいた場合でも、壁７や床８の温度は、設定温度に達していない場合がある。このような問題は冬場に壁７や床８が冷え切っている場合に発生する。従って、室内温度が設定温度に近づいたとして即座に風向板２−Ｂの向きを略真下にして、温風を図４（ｂ）のように壁７に沿って吹き出させ、さらに床８に沿って流したとしても、壁７や床８に温風の温度が奪われてしまい、足元を十分に暖められず、使用者に冷感を与える可能性がある。壁７や床８の冷え方によって、室内温度が第１所定温度差から第２所定温度差に達するまでの時間は異なる。
【００３４】
そこで、室内温度が第１所定温度差から第２所定温度差に達するまでの経過時間を計測することにより、室内温度が第２所定温度差に達してから、壁７や床８が暖まるまでのインターバル時間を推測する。
【００３５】
このように、室内温度が第２所定温度差に達した後、インターバル時間が経過してから風向板の向きを略真下に変更することにより、吹き出した温風の温度が壁７や床８に奪われにくくなり、使用者に冷感を与えることなく、足元を十分に暖めることができる。
【００３６】
＜第３の実施形態＞
本発明の第３の実施形態を図２および図３並びに図９〜図１１を用いて説明する。本実施形態では、制御部１０は、図９に示すように、温度設定手段１１で設定された設定温度と室温検知手段１２で検知した室内温度との温度差が第１の所定温度差（例えば４℃）に達してから、それよりも小さい第２の所定温度差（例えば０．６７℃）に達するまでの経過時間をカウントするタイマー１４を備え、暖房運転時に、風向板２−Ｂを斜め下方向から略真下方向に変化させるまでのインターバル時間を前記経過時間と、例えば室外機に設けられた外気温検出手段１５（サーミスタ）によって検出した外気温度とに基づいて算出し、前記温度差が前記第２の所定温度差に達した後、前記インターバル時間が経過するまでは前記風向板２−Ａ、２−Ｂを斜め下方向にして、温風を斜め下方向に吹出し、前記インターバル時間が経過すると前記風向板２−Ｂを略真下方向にして、温風を略真下方向に吹出すように制御する。
【００３７】
そして、制御部１０には、第１の所定温度差に達してから、それよりも小さい第２の所定温度差に達するまでの経過時間から、風向板を斜め下方向から略真下方向に変化させるまでのインターバル時間を算出するために、図１０に示すようなテーブルＢがメモリに記憶されている。図１０の左欄外に経過時間を、下欄外に外気温度を、また罫線で囲まれた欄内にインターバル時間を示す。その他の構成は上記第１の実施形態と同様であるので、その説明は省略する。
【００３８】
上記構成においては、室内機１は、暖房運転が開始されると、さまざまな初期動作を行った後に風向板２−Ａと風向板２−Ｂを図３（ａ）の位置、すなわち斜め下方向にする。このときの温風は図３（ｂ）のように吹き出され、室内全体を暖めるようになっている。
【００３９】
図１１は本実施形態における風向板制御のフローチャートである。Ｓ１０にて設定温度と室内温度との温度差が第１所定温度差（本実施形態では４℃）以下であるかをチェックする。温度差が第１所定温度差より大きければ風向板２−Ａと風向板２−Ｂの向きは図３（ａ）のように斜め下方向を維持する。温度差が第１所定温度差以下であればＳ２０にて経過時間タイマ−１４がカウント中であるかをチェックし、経過時間タイマ−１４がカウント中でない場合は、Ｓ２１にて経過時間タイマー１４のカウントを開始する。
【００４０】
Ｓ３０にて設定温度と室内温度との温度差が第２所定温度差（本実施例では０．６７℃）以下であるかをチェックする。温度差が第２所定温度差より大きければ風向板２−Ａと風向板２−Ｂの向きは図３（ａ）のように斜め下方向を維持する。温度差が第２所定温度差以下であればＳ４０にて外気温検知手段１５により外気温度を確認する。
【００４１】
Ｓ５０にて経過時間タイマ−１４のカウント値と外気温度とに基づき、テーブルＢから風向板２−Ｂの向きを斜め下方向から略真下方向に変更するまでのインターバル時間を選択する。例えば、経過時間タイマ−１４のカウント値＝１８（経過時間が１８分）、外気温度＝７℃であれば、インターバル時間は３５分が選択される。そして、Ｓ６０にてインターバル時間が経過したかをチェックする。インターバル時間が経過するまでは、風向板２−Ｂの向きは図３（ａ）のように斜め下方向を維持し、経過すれば風向板２−Ｂの向きを図４（ａ）のように斜め下方向から略真下方向に変更する。
【００４２】
本実施形態では、室内温度が第１所定温度差から第２所定温度差に達するまでの経過時間と、外気温度とに基づいて、室内温度が第２所定温度差に達してから、壁７や床８が暖まるまでのインターバル時間を推測する。
【００４３】
このように、経過時間と外気温度の両パラメータを使用することで、壁７や床８が暖まるまでにかかる時間に、より近いインターバル時間を推測できるようになり、使用者に冷感を与えることなく、足元を十分に暖める効果が向上する。
【００４４】
＜第４の実施形態＞
本発明の第４の実施形態を図１２〜図１７を用いて説明する。図１２は室内機１の吹き出し口付近の側部断面図である。図１３は室内機１を遠隔操作する遠隔操作装置１６の正面図である。
【００４５】
遠隔操作装置１６には、室内機１をさまざまな機能を操作するための各種ボタンが多数設けられており、その中には、風向板の向きを操作する上下風向ボタン１７が存在する。上下風向ボタン１７を押す毎に風向板２−Ａ、風向板２−Ｂの位置を変更でき、風向を図１７のように「ななめ上方向」「水平方向」「ななめ下方向」「下方向」「真下方向」に変更することができる。
【００４６】
この上下風向ボタン１７を使用して、風向板２−Ｂの真下方向の位置を調整することができる。本実施形態では、風向板２−Ｂの真下方向の位置は、図１２に示すように（ａ）、（ｂ）、（ｃ）の３つの位置の中で調整できるようになっているが、必要であれば４段階でもよいし、何段階でもよい。
【００４７】
この風向板２−Ｂの真下方向を調整する制御部１０は、遠隔操作装置（リモコン）の風向ボタン１７からの信号を入力して風向板駆動部１３を制御し、風向板２−Ｂの真下方向の向きを調整することができる。
【００４８】
図１４は、風向板２−Ｂの真下方向の位置を調整するフローチャートである。室内機１は、Ｓ１０にて上下風向ボタン１７が５秒以上連続して押し続けられたかを確認する。押し続けられていない場合は、なにもせずにこのフローを終了する。押し続けられた場合は、Ｓ２０に進み、現在の風向板２−Ｂの位置が図１２の（ａ）の位置であるかどうかをチェックする。（ａ）の位置であるならば、Ｓ３０にて風向板２−Ｂの位置を（ｃ）に変更する。（ａ）の位置でないならば、Ｓ４０にて、現在の風向板２−Ｂの位置が図１２の（ｂ）の位置であるかどうかをチェックする。（ｂ）の位置であるならば、Ｓ５０にて風向板２−Ｂの位置を（ａ）に変更する。（ｂ）の位置でないならば、現在の風向板２−Ｂの位置は（ｃ）であるので、風向板２−Ｂの位置を（ｂ）に変更する。
【００４９】
通常、風向板２−Ｂは図中（ｃ）の位置に存在している。このとき、室内機１の略真下付近に何らかの障害物１８（例えば家具、テレビなど）が存在していた場合、室内機１から略真下に吹き出された温風は図１５に示すように流れ、障害物１８と床８との間に冷気ダマリ１９ができることがある。使用者がこのような冷気ダマリ１９付近に行くと、寒さを感じてしまい、不快感を得る可能性がある。
【００５０】
このような場合、風向板２−Ｂの真下向きの位置を上記のようにして調整することで図１６に示すように障害物１８を避けて温風を吹き出し、冷気ダマリ１９が発生することを防ぐことができる。
【００５１】
さらに遠隔操作装置１６を用いることで、障害物があっても風向板２−Ｂの真下方向の向きの位置を簡単に調整でき、さらに部屋の模様替えを行ってもそのときの障害物の状態に合わせて調整することができ便利である。
【００５２】
なお、上記各実施形態では風向板が２枚で構成され、かつ略真下に向く風向板は１枚だけであるが、風向板の数は何枚でもよいし、略真下に向く風向板も何枚でもよい。さらに、空気調和機自体も壁掛型に限定するものではなく、高所に取り付けられる空気調和機であれば天吊型空気調和機、ビルトインタイプ型等でもよい。
【００５３】
また、上記実施形態は一例に過ぎず、室内機の具体的な構成、フローチャート手順、インターバル時間の設定手段、第１所定温度差、第２所定温度差などについても、本実施形態に限定されるものではなく、本発明の範囲内で適宜変更であることはもちろんである。
【図面の簡単な説明】
【００５４】
【図１】本発明の第１の実施形態を示すセパレートタイプの空気調和機における室内機外観図
【図２】風向板の制御ブロック図
【図３】（ａ）は風向板を斜め下方に向けた室内機の側面断面図、（ｂ）は同図（ａ）の状態のときの温風吹出し方向を示す図
【図４】（ａ）は風向板を略真下に向けた室内機の側面断面図、（ｂ）は同図（ａ）の状態のときの温風吹出し方向を示す図
【図５】第１の実施形態における風向板制御のフローチャート
【図６】本発明の第２の実施形態を示す風向板の制御ブロック図
【図７】制御部のメモリに記憶された経過時間とインターバル時間との関係を示すテーブル
【図８】第２の実施形態における風向板制御のフローチャート
【図９】本発明の第３の実施形態を示す風向板の制御ブロック図
【図１０】制御部のメモリに記憶された経過時間とインターバル時間との関係を示すテーブル
【図１１】第３の実施形態における風向板制御のフローチャート
【図１２】本発明の第４の実施形態を示す室内機の吹出し口付近の側部断面図
【図１３】本発明の第４の実施形態を示す遠隔操作装置（リモコン）の正面図
【図１４】第４の実施形態を示す風向板制御のフローチャート
【図１５】第４の実施形態における室内機の真下に障害物があるときの温風の流れ図
【図１６】第４の実施形態における真下に障害物がある場合に、吹出し方向を変更したときの温風の流れ図
【図１７】第４の実施形態における風向板の向きを変更したときの温風の吹き出し方向を示す図
【符号の説明】
【００５５】
１       室内機
２−Ａ   風向板
２−Ｂ   風向板
３       吸い込み口
４       熱交換器
５       室内ファン
６       吹き出し口
７       壁
８       床
１０      制御部
１１      温度設定手段
１２      室温検知手段
１３      風向板駆動部
１４      タイマー
１５      外気温検知手段
１６      遠隔操作装置
１７      上下風向ボタン
１８     障害物
１９     冷気ダマリ
【図１】
2005147512.tif 000003
【図２】
2005147512.tif 000004
【図３】
2005147512.tif 000005
【図４】
2005147512.tif 000006
【図５】
2005147512.tif 000007
【図６】
2005147512.tif 000008
【図７】
2005147512.tif 000009
【図８】
2005147512.tif 000010
【図９】
2005147512.tif 000011
【図１０】
2005147512.tif 000012
【図１１】
2005147512.tif 000013
【図１２】
2005147512.tif 000014
【図１３】
2005147512.tif 000015
【図１４】
2005147512.tif 000016
【図１５】
2005147512.tif 000017
【図１６】
2005147512.tif 000018
【図１７】
2005147512.tif 000019